(57)【要約】【課題】利便性とセキュリティを両立させる。複合型ＩＣカードを使わない。【解決手段】制御部７は、所持者番号５ｃおよび暗証番号５ｄが、手入力装置６ｅから入力されると、両方の対応が正当か否かを判定し、正当ならば対応する利用可否情報５ｂを「利用可」にする。制御部７は、マイクロ波ＩＣカードリーダ４で読み取ったカード番号５ａに対応する利用可否情報５ｂが「利用可」になっているならゲート通過許可信号７ａを立ち上げる。【効果】所持者識別子と暗証番号を入力できないマイクロ波ＩＣカードの不正所持者のゲート通過を阻止でき、セキュリティを向上できる。設定された時間になるまでは、マイクロ波ＩＣカードを所持しているだけでハンズフリーでゲート通過でき、利便性を向上できる。複合型ＩＣカードを使わないため、構成が簡単かつ低コストになる。【選択図】図１
2005023666.tif 000002
【特許請求の範囲】
【請求項１】
マイクロ波ＩＣカード（２）のカード識別子（５ａ）と利用可否情報（５ｂ）と所持者識別子（５ｃ）と暗証番号（５ｄ）とを記憶する管理情報記憶手段（５）と、所持者識別子（５ｃ）と暗証番号（５ｄ）とを手入力するための手入力手段（６ｅ）と、設定時間内に入力された所持者識別子（５ｃ）と暗証番号（５ｄ）の対応が正当ならば対応する利用可否情報（５ｂ）を「利用可」に設定する第１の施設利用判定手段（５）と、設定時間外になると利用可否情報（５ｂ）を「利用不可」に設定する第２の施設利用判定手段（５）と、ゲート（１）の近傍に居る所持者が所持しているマイクロ波ＩＣカード（２）からマイクロ波（３）を介してカード情報を読み取るマイクロ波ＩＣカードリーダ（４）と、マイクロ波ＩＣカードリーダ（４）で読み取ったカード情報に対応する利用可否情報（５ｂ）を認証し「利用可」になっているならゲート通過許可信号（７ａ）を発生する通過許可信号発生手段（７）とを具備したことを特徴とするゲート通過管理装置（１００）。
【請求項２】
請求項１に記載のゲート通過管理装置（１００）において、前記マイクロ波ＩＣカードリーダ（４）は、円偏波アンテナ（８ｅ，８ｉ）によりマイクロ波ＩＣカード（２）と通信することを特徴とするゲート通過管理装置（１００）。
【請求項３】
請求項１または請求項２に記載のゲート通過管理装置（１００）において、外部のネットワーク（Ｎ）を介して外部の端末（ＥＴ）へ問い合わせを行うために、外部のネットワーク（Ｎ）と接続するための外部ネットワーク用インタフェース（９）を具備することを特徴とするゲート通過管理装置（１００）。
【請求項４】
請求項１から請求項３のいずれかに記載のゲート通過管理装置（１００）において、操作者が前記利用可否情報（５ｂ）を削除するか又は前記利用可否情報（５ｂ）を「使用停止」にするためのＩＣカード使用停止手段（１３）を具備したことを特徴とするゲート通過管理装置（１００）。
【請求項５】
請求項１から請求項４のいずれかに記載のゲート通過管理装置（１００）において、前記利用可否情報（５ｂ）を「利用可」にしうる年月日時間情報（５ｅ）を記憶する管理情報記憶手段（５）を具備したことを特徴とするゲート通過管理装置（１００）。
【請求項６】
請求項１から請求項５のいずれかに記載のゲート通過管理装置（１００）において、外部の警備装置（ＥＳ）と連結するための外部警備装置用インタフェース（１０）を具備することを特徴とするゲート通過管理装置（１００）。
【発明の詳細な説明】
【０００１】
【発明の属する技術分野】
本発明は、ゲート通過管理装置に関し、さらに詳しくは、利便性とセキュリティとを両立させうると共に複合型ＩＣカードを使わずに済むゲート通過管理装置に関する。
【０００２】
【従来の技術】
従来、接触および非接触の両方でアクセス可能な複合型ＩＣカードと暗証番号入力装置とを用い、入室時には接触式カードリーダで複合型ＩＣカードを読み取ると共に暗証番号を入力させることで不正入室に対するセキュリティを高め、退室時には非接触式カードリーダで複合型ＩＣカードを読み取るだけとすることで利便性を高めた入退室管理システムが知られている（例えば、特許文献１参照。）。
【０００３】
【特許文献１】
特開平２００１−３２３６９５号公報（［００２３］、［００２４］、［００３５］〜［００４８］、図４、図５）
【０００４】
【発明が解決しようとする課題】
上記従来の入退室管理システムでは、退室する時はハンズフリーであり、利便性が高い。また、１日に１回だけ入室するような者にとっては、１回だけ暗証番号を入力すればよいので、特に利便性が損なわれることもない。
しかし、１日に何回も入退室を繰り返す者にとっては、入室の毎に暗証番号を入力しなければならず、安全性は高いが、利便性が悪い問題点がある。
また、複合型ＩＣカードは構成が複雑かつ高コストになる上に、カードリーダ側の構成も複雑かつ高コストになる問題点がある。
そこで、本発明の目的は、利便性とセキュリティとを両立させうると共に複合型ＩＣカードを使わずに済むゲート通過管理装置を提供することにある。
【０００５】
【課題を解決するための手段】
第１の観点では、本発明は、マイクロ波ＩＣカード（２）のカード識別子（５ａ）と利用可否情報（５ｂ）と所持者識別子（５ｃ）と暗証番号（５ｄ）とを記憶する管理情報記憶手段（５）と、所持者識別子（５ｃ）と暗証番号（５ｄ）とを手入力するための手入力手段（６ｅ）と、設定時間内に入力された所持者識別子（５ｃ）と暗証番号（５ｄ）の対応が正当ならば対応する利用可否情報（５ｂ）を「利用可」に設定する第１の施設利用判定手段（５）と、設定時間外になると利用可否情報（５ｂ）を「利用不可」に設定する第２の施設利用判定手段（５）と、ゲート（１）の近傍に居る所持者が所持しているマイクロ波ＩＣカード（２）からマイクロ波（３）を介してカード情報を読み取るマイクロ波ＩＣカードリーダ（４）と、マイクロ波ＩＣカードリーダ（４）で読み取ったカード情報に対応する利用可否情報（５ｂ）を認証し「利用可」になっているならゲート通過許可信号（７ａ）を発生する通過許可信号発生手段（７）とを具備したことを特徴とするゲート通過管理装置（１００）を提供する。
上記第１の観点によるゲート通過管理装置（１００）では、必ず１回は所持者識別子（５ｃ）と暗証番号（５ｄ）とを入力しなければならないので、マイクロ波ＩＣカード（４）の不正所持者のゲート通過を阻止でき、セキュリティを高めることが出来る。そして、所持者識別子（５ｃ）と暗証番号（５ｄ）とを１回入力したら、利用可否情報（５ｂ）が「利用不可」に設定される時間になるまでは、マイクロ波ＩＣカード（４）を所持しているだけでハンズフリーでゲート通過できるため、利便性を高めることが出来る。
また、複合型ＩＣカードを使わないため、ＩＣカード自体の構成が簡単かつ低コストになる上に、カードリーダ側の構成も簡単かつ低コストになる。
【０００６】
第２の観点では、本発明は、上記構成のゲート通過管理装置（１００）において、前記マイクロ波ＩＣカードリーダ（４）は、円偏波アンテナ（８ｅ，８ｉ）によりマイクロ波ＩＣカード（４）と通信することを特徴とするゲート通過管理装置（１００）を提供する。
従来のマイクロ波ＩＣカードリーダは直線偏波アンテナを使っているため、ＩＣカードリーダの直線偏波アンテナの偏波方向とマイクロ波ＩＣカード（２）のアンテナ（２ｃ）の偏波方向とが一致しないと十分な送受信利得が保てず、マイクロ波ＩＣカード（２）の傾きによりフェージングが生じて、安定した通信が行えない問題点があった。
これに対して、上記第２の観点によるゲート通過管理装置（１００）では、円偏波アンテナ（８ｅ，８ｉ）を使うため、例えば、所持者の胸部に着用したり、首から吊り下げて利用することにより、マイクロ波ＩＣカード（２）のアンテナ（２ｃ）の指向性が電波の送受信方向に対して概略一致していれば、送受信方向軸に関してマイクロ波ＩＣカード（２）が回転しても送受信利得が変化しないためフェージングが生じにくく、安定した通信を行うことが出来る。
さらに、ゲート（１）の一方側および他方側にそれぞれ円偏波アンテナ（８ｅ）および（８ｉ）を設ければ、それらとマイクロ波ＩＣカード（２）の通信順序により、マイクロ波ＩＣカード（２）の通過方向および通過したか否かを検出可能になる。
【０００７】
第３の観点では、本発明は、上記構成のゲート通過管理装置（１００）において、外部のネットワーク（Ｎ）を介して外部の端末（ＥＴ）へ問い合わせを行うために、外部のネットワーク（Ｎ）と接続するための外部ネットワーク用インタフェース（９）を具備することを特徴とするゲート通過管理装置（１００）を提供する。
上記第３の観点によるゲート通過管理装置（１００）では、例えば関連施設や出先機関などに設置した外部の端末（ＥＴ）が外部のネットワーク（Ｎ）を介して接続されているので、関連施設や出先機関での利用者の在席確認、または、関連施設や出先機関への出張者の在席確認などを、容易にかつ低コストで行うこと出来る。
【０００８】
第４の観点では、本発明は、上記構成のゲート通過管理装置（１００）において、操作者が前記利用可否情報（５ｂ）を削除するか又は前記利用可否情報（５ｂ）を「使用停止」にするためのＩＣカード使用停止手段（１３）を具備したことを特徴とするゲート通過管理装置（１００）を提供する。
上記第４の観点によるゲート通過管理装置（１００）では、マイクロ波ＩＣカード（２）を使用しなくなった時やマイクロ波ＩＣカード（２）を紛失した時に、当該マイクロ波ＩＣカード（２）の利用可否情報（５ｂ）を「利用可」でなくするため、不正通過を防止できる。
【０００９】
第５の観点では、本発明は、上記構成のゲート通過管理装置（１００）において、前記利用可否情報（５ｂ）を「利用可」にしうる年月日時間情報（５ｅ）を記憶する管理情報記憶手段（５）を具備したことを特徴とするゲート通過管理装置（１００）を提供する。
上記第５の観点によるゲート通過管理装置（１００）では、ゲート（１）を通過しうる日時を予め登録しておくことにより、例えば無届けでの休日出勤を制限できる。
【００１０】
第６の観点では、本発明は、上記構成のゲート通過管理装置（１００）において、外部の警備装置（ＥＳ）と連結するための外部警備装置用インタフェース（１０）を具備することを特徴とするゲート通過管理装置（１００）を提供する。上記第６の観点によるゲート通過管理装置（１００）では、外部警備装置用インタフェース（１０）を介して通信することで、外部の警備装置（ＥＳ）へゲート（１）の運用を切り替えることが出来る。例えば夜間や休日などでは、外部警備装置用インタフェース（１０）を介して外部の警備装置（ＥＳ）にゲート（１）の運用を任せることで、施設管理者の業務負担軽減が可能になる。
【００１１】
【発明の実施の形態】
以下、図に示す実施の形態により本発明をさらに詳細に説明する。なお、これにより本発明が限定されるものではない。
【００１２】
図１は、本発明の一実施形態にかかるゲート通過管理装置１００を示すブロック図である。
このゲート通過管理装置１００は、事業所の施設Ｃへの入退室を管理する装置であって、マイクロ波ＩＣカードリーダ４、管理サーバ５、手入力装置６ｅ、制御部７、円偏波アンテナ８ｅ，８ｉ、外部ネットワーク用インタフェース９、外部警備装置用インタフェース１０、警報装置１１，ＬＡＮ１２、サブ管理端末１３および利用者端末１４を具備している。
【００１３】
管理サーバ５、制御部７、サブ管理端末１３および利用者端末１４は、ＬＡＮ１２に接続されている。
また、外部ネットワーク用インタフェース９は、外部のネットワークＮ（例えばインターネット）に接続されている。そして、外部のネットワークＮには、外部端末ＥＴ（例えば、関連施設や出先機関に設置されたコンピュータ）が接続している。
また、外部警備装置用インタフェース１０は、ゲート通過管理装置１００とは別系統の外部警備装置ＥＳ（例えば警備会社の警備システムなど）に接続されている。
【００１４】
ゲート１は、扉の施解錠機構１５と、錠の施解状態を感知する施解錠センサ１８と、扉が開状態か閉状態かを検出する開閉センサ１６と、人がゲート１を通過したことを検出する通過センサ１７とを備えている。通過センサ１７は、ゲート１の構造に応じて、施設の外部側または内部側のいずれかに設置する。
【００１５】
マイクロ波ＩＣカードリーダ４は、ゲート１の近傍に居る者が所持しているマイクロ波ＩＣカード２と円偏波アンテナ８ｅ，８ｉにより通信し、マイクロ波３を介して、カード情報を読み取る。
【００１６】
図２の（ａ）に示すように、マイクロ波ＩＣカード２は、マイクロ波ＩＤタグ２ａを接着材２ｅに埋設し、これを表裏から樹脂板２ｄ，２ｄで挟んで接着し、一体化した構造である。
また、図２の（ｂ）に示すように、マイクロ波ＩＤタグ２ａは、樹脂フィルムからなる基材２ｆに、ＩＣチップ２ｂおよびこれに接続されたアンテナ２ｃを形成した構造である。
ＩＣチップ２ｂは、アンテナ２ｃで受信したマイクロ波３より電力を得る受電機能と、受電中でなくてもカード番号５ａなどのカード情報を保持する情報記憶機能と、アンテナ２ｃを通じて所定のプロトコルで暗号通信する通信機能とを備えている。
アンテナ２ｃは、折返しダイポールアンテナである。
【００１７】
図３は、ゲート１と円偏波アンテナ８ｅ，８ｉの通信可能範囲８ａ，８ｂの位置関係の第１例を示す側面図である。
円偏波アンテナ８ｅ，８ｉは、通信可能範囲８ａ，８ｂの向きを調節可能な取付機構８１により、通信可能範囲８ａ，８ｂの向きを斜め下に向けて、施設Ｃの外壁面，内壁面に取り付けられている。
図４は、ゲート１と円偏波アンテナ８ｅ，８ｉの通信可能範囲８ａ，８ｂの位置関係の第２例を示す側面図である。
円偏波アンテナ８ｅ，８ｉは、通信可能範囲８ａ，８ｂの向きを調節可能な取付機構８１により、通信可能範囲８ａ，８ｂの向きを真横に向けて、ゲート１の扉面外側，扉面内側に取り付けられている。
【００１８】
図３および図４に示すように、円偏波アンテナ８ｅ，８ｉは鋭い指向性を有し、通信可能範囲８ａ，８ｂ内では電界強度が高く、これを外れると急激に電界強度が低くなる。また、マイクロ波ＩＣカード２は、図２に示すように、折り返しダイポール形式のアンテナ２ｂが平面部と平行に配設されているため、マイクロ波ＩＣカード２の正面方向（すなわち、平面部の垂直軸の方向）では送受信利得が高く、端部方向（すなわち、平面部に沿った方向）では、送受信利得が低くなる。
このため、通信可能範囲８ａ，８ｂ内において、所持者がマイクロ波ＩＣカード２の正面を円偏波アンテナ８ｅ，８ｉへ向けると、このマイクロ波ＩＣカード２と円偏波アンテナ８ｅ，８ｉとで良好に通信が行われる。しかし、マイクロ波ＩＣカード２が通信可能範囲８ａ，８ｂ内になかったり、通信可能範囲８ａ，８ｂ内にあっても、所持者が、マイクロ波ＩＣカード２の正面を円偏波アンテナ８ｅ，８ｉへ向けないと、このマイクロ波ＩＣカード２と円偏波アンテナ８ｅ，８ｉとで通信は行われない。
こうして、入退室の意思のある所持者は、マイクロ波ＩＣカード２を胸部に着用したり首から吊すことにより、その正面をゲート１に向けて通信を行わせることが出来、また、入退室の意思がなく、単に通過するだけの所持者は、マイクロ波ＩＣカード２の端部方向がゲート１に向くだけであるので、不要な通信が行われるのを回避できる。
【００１９】
図１に戻り、管理サーバ５は、マイクロ波ＩＣカード２のカード番号５ａと利用可否情報５ｂと所持者番号５ｃと暗証番号５ｄとを対応させて登録している。また、所持者番号５ｃに対応して、利用可否情報５ｂを「利用可」にしうる年月日時間情報５ｅ（＝利用可能開始年月日時刻／利用可能終了年月日時刻）を記憶している。また、所持者番号５ｃに対応して、入出時間情報５ｆ（＝施設Ｃに入った年月日時刻／施設Ｃから出た年月日時刻）を記憶している。また、所持者番号５ｃに対応して、就業時間情報５ｇ（＝就業開始年月日時刻／就業終了年月日時刻）を記憶している。これらの情報の登録／変更は、管理サーバ５またはサブ管理端末１３から行うことが出来る。
【００２０】
管理サーバ５は、施設利用判定機能を有し、施設利用時間が、例えば午前３時から午後１０時に設定されている。管理サーバ５は、時刻が午前３時から午後１０時の間は、利用可否情報５ｂが「利用不可」になっているカード番号５ａの利用可否情報５ｂを「利用可」にセットできる。また、管理サーバ５は、時刻が午後１０時になると、利用可否情報５ｂが「利用可」になっているカード番号５ａの利用可否情報５ｂを「利用不可」にリセットする。また、例えば利用可否情報５ｂを「利用可」にセットしてから２０時間が経過した時、当該カード番号５ａの利用可否情報５ｂが「利用可」のままになっているなら「利用不可」にリセットする。
【００２１】
また、管理サーバ５は、制御部７からカード番号入場通知を受け取ると、当該カード番号５ａに対応する所持者番号５ｃの入出時間情報５ｆに施設Ｃに入った年月日時刻を登録する。また、制御部７からカード番号退場通知を受け取ると、当該カード番号５ａに対応する所持者番号５ｃの入出時間情報５ｆに施設Ｃから出た年月日時刻を登録する。
【００２２】
また、管理サーバ５は、サブ管理端末１３からの「カード番号削除通知」に応じて当該カード番号５ａの登録データを削除する。また、サブ管理端末１３からの「カード番号使用停止通知」に応じて当該カード番号５ａの利用可否情報５ｂを「使用停止」にし、「カード番号使用許可通知」に応じて当該カード番号５ａの利用可否情報５ｂを「利用不可」にリセットする。また、利用可否情報５ｂを「使用停止」にしてから所定の猶予期間が経過しても「使用停止」のままなら、当該カード番号５ａの登録データを削除する。
【００２３】
手入力装置６ｅは、例えばタッチパネルであり、ゲート１の近傍の外部および内部に設置され、所持者番号５ｃと暗証番号５ｄとを手入力することが出来る。また、メッセージを表示できる。
【００２４】
制御部７は、所持者番号５ｃおよび暗証番号５ｄが、手入力装置６ｅから入力されると、管理サーバ５に登録されている所持者番号５ｃと暗証番号５ｄの対応に合致しているか否かを判定し、合致しているならば、対応する利用可否情報５ｂを「利用可」にセットするように「利用可通知」を管理サーバ５へ送る。
【００２５】
また、制御部７は、マイクロ波ＩＣカードリーダ４で読み取ったカード情報に含まれるカード番号５ａに対応する利用可否情報５ｂが「利用可」になっているか否かを管理サーバ５に照会し、「利用可」になっているなら、ゲート通過許可信号７ａを立ち上げる。
施解錠機構１５は、ゲート通過許可信号７ａの立上りを検出するとゲート１の扉を解錠する。制御部７は、ゲート１が再び閉じ、開閉センサ１６からの信号の立下がりを検知すると、ゲート通過許可信号７ａを立下げる。そして、施解錠機構１５は、ゲート通過許可信号７ａの立下がりを検出するとゲート１の扉を施錠する。
また、施解錠機構１５は、ゲート通過許可信号７ａが立上るとゲート１の扉を解錠するが、例えば１分間、開閉センサ１６からの信号が変化しないときは、制御部７は、ゲート通過許可信号７ａを立下げるので、施解錠機構１５によりゲート１が施錠される。
制御部７は、マイクロ波ＩＣカードリーダ４によりマイクロ波ＩＣカード２が認証されるとゲート通過許可信号７ａを立上げて、施解錠機構１５によりゲート１を解錠する。そして、通過センサ１７が所持者を検知することにより、ゲート１からの入退室を判定する。なお、マイクロ波ＩＣカード２の認証が施設Ｃ外の円偏波アンテナ８ｅからなされたときはカード番号入場通知を管理サーバ５へ送り、マイクロ波ＩＣカード２の認証が施設Ｃ内の円偏波アンテナ８ｉからなされたときはカード番号退場通知を管理サーバ５へ送る。
また、制御部７は、マイクロ波ＩＣカード２の認証がなされてから、施設Ｃへの入退室が行われず、例えば１分間、開閉センサ１６が人を検知しなければ、ゲート通過許可信号７ａを立ち下げ、ゲート１を施錠する。
【００２６】
また、制御部７は、次の時に警報装置１１から警報を発する。
（１）連れ込み／擦り抜け：「円偏波アンテナ８ｅ，８ｉを通じマイクロ波ＩＣカードリーダ４で認証されたマイクロ波ＩＣカード２の数」と、「通過センサ１７により通過を検知した人の数」が一致しなかった時。
（２）逆方向通過／パスバック：マイクロ波ＩＣカード２が施設Ｃ外の円偏波アンテナ８ｅを通じマイクロ波ＩＣカードリーダ４で認証され、所持者のゲート１通過が通過センサ１７で検知された後、同一のマイクロ波ＩＣカード２が再び施設Ｃ外の円偏波アンテナ８ｅを通じマイクロ波ＩＣカードリーダ４で読み取られた時。または、マイクロ波ＩＣカード２が施設Ｃ内の円偏波アンテナ８ｉを通じマイクロ波ＩＣカードリーダ４で認証され、所持者のゲート１通過が通過センサ１７で検知された後、同一のマイクロ波ＩＣカード２が再び施設Ｃ内の円偏波アンテナ８ｉを通じマイクロ波ＩＣカードリーダ４で読み取られた時。
【００２７】
制御部７は、ゲート１を通過したマイクロ波ＩＣカード２の通過方向および通過時刻を管理サーバ５に報告し、管理サーバ５は記録を残す。また、警報を発した時の状態および時刻を管理サーバ５に報告し、管理サーバ５は記録を残す。
【００２８】
さらに、制御部７は、外部警備装置用インタフェース１０を介し、外部警備装置ＥＳから「外部警備装置運用開始信号」を受け取るとゲート１の管理を停止し、また、「外部警備装置運用停止信号」を受け取るとゲート１の管理を開始することにより、外部警備装置ＥＳとの切替を行うことが出来る。
例えば施設Ｃで無人状態が継続する期間は、ゲート１の管理を外部警備装置ＥＳに委ねて警備を行わせることで、施設Ｃの管理者の負担を軽減できる。
【００２９】
あるマイクロ波ＩＣカード２を使用しなくなった時は、サブ管理端末１３から当該カード番号５ａを指定した「カード番号削除通知」を管理サーバ５へ送る。
マイクロ波ＩＣカード２を紛失した時は、サブ管理端末１３から当該カード番号５ａを指定した「カード番号使用停止通知」を管理サーバ５へ送る。また、紛失したマイクロ波ＩＣカード２を所定の猶予期間内に発見した時は、サブ管理端末１３から当該カード番号５ａを指定した「カード番号使用許可通知」を管理サーバ５へ送る。
【００３０】
あるマイクロ波ＩＣカード２の所持者が施設Ｃ内に居るか否かを知りたい者は、サブ管理端末１３または利用者端末１４から、管理サーバ５にカード番号５ａまたは所持者番号５ｃまたは所持者氏名を示して問い合わせる。管理サーバ５は、カード番号５ａまたは所持者氏名なら所持者番号５ｃに変換し、所持者番号５ｃならそれを用いて、対応する入出時間情報５ｆを調べる。そして、施設Ｃに入った年月日時刻が登録されており且つそれに対応する施設Ｃから出た年月日時刻が登録されていないなら、施設Ｃ内に居る旨を回答する。それ以外なら、施設Ｃ内に居ない旨を回答する。
【００３１】
マイクロ波ＩＣカード２の所持者が施設Ｃの従業員である場合、施設Ｃに入った従業員は、就業開始時に利用者端末１４から管理サーバ５へ就業開始を入力する。管理サーバ５は、その時刻を就業開始年月日時刻として就業時間５ｇに登録する。また、従業員は、就業終了時に利用者端末１４から管理サーバ５へ就業終了を入力する。管理サーバ５は、その時刻を就業終了年月日時刻として就業時間５ｇに登録する。このようにして、従業員の就業時間５ｇを管理できる。
【００３２】
【発明の効果】
本発明のゲート通過管理装置（１００）によれば、必ず１回は所持者識別子（５ｃ）と暗証番号（５ｄ）とを入力しなければならないので、マイクロ波ＩＣカード（４）の不正所持者のゲート通過を阻止でき、セキュリティを高めることが出来る。そして、所持者識別子（５ｃ）と暗証番号（５ｄ）とを１回入力したら、設定された時間になるまでは、マイクロ波ＩＣカード（４）を所持しているだけでハンズフリーでゲート通過できるため、利便性を高めることが出来る。また、複合型ＩＣカードを使わないため、ＩＣカード自体の構成が簡単かつ低コストになる上に、カードリーダ側の構成も簡単かつ低コストになる。
【図面の簡単な説明】
【図１】本発明の一実施形態にかかるゲート通過管理装置を示すブロック図である。
【図２】マイクロ波ＩＣカードの構成例を示す説明図である。
【図３】円偏波アンテナの設置例を示す側面図である。
【図４】円偏波アンテナの別の設置例を示す側面図である。
【符号の説明】
１              ゲート
２              マイクロ波ＩＣカード
３              マイクロ波
４              マイクロ波ＩＣカードリーダ
５              管理サーバ
６ｅ            手入力装置
７              制御部
８ｅ，８ｉ      円偏波アンテナ
９              外部ネットワーク用インタフェース
１０            外部警備装置用インタフェース
１１            警報装置
１５            施解錠機構
１７            通過センサ
１００          ゲート通過管理装置
ＥＳ            外部警備装置
ＥＴ            外部端末
Ｎ              ネットワーク
【図１】
2005023666.tif 000003
【図２】
2005023666.tif 000004
【図３】
2005023666.tif 000005
【図４】
2005023666.tif 000006